(57)【特許請求の範囲】
【請求項１】
両開扉の子扉を床面及び／または天井に係止するラッチ装置であって、子扉の自由側端縁部の下端部及び／または上端部に装着されるケース体と、水平面に対する投影形状が略扇形で、その要の部分を、子扉の自由側端縁部とほぼ同一面となるケース体のフロント板付近に回動可能に、かつフロント板から出没可能に支承され、親扉の閉扉時親扉の自由側端縁に装着されたストライクと干渉してケース体内に押込まれるラッチと、このラッチの内側においてフロント板に垂直な方向に移動可能に案内され、外方に付勢されると共に、ケース体内に押込まれた上記ラッチの自由端部と係合して、ラッチをフロント板から突出する方向に押動する傾斜面を形成した押出しブロックと、ケース体内において子扉の自由側端縁に平行な方向に延在してその長さ方向に移動可能に案内され、ケース体内に引き込まれる方向に付勢されたデッド杆と、このデッド杆の内端部及び上記ラッチの間に配設され、親扉閉扉時におけるラッチの動きをデッド杆に伝達し、これを長さ方向に沿ってケース体から外方に押出すように駆動する作動力偏向機構と、デッド杆の外端において扉面に平行で水平な支軸の回りを回動自在に軸支され、先端が子扉の閉鎖方向にのみ回動可能に拘束されると共に逆方向に付勢された係合シューと、この係合シューの内端部に一体的に形成された傾斜端縁と、ケース体内において子扉の自由側端縁に平行な方向に延在し、少なくとも外端部がデッド杆に重合する態様でその長さ方向に移動可能に案内され、外端部に係合シューの傾斜端縁に弾接するように付勢された係合ピンを有する作動杆とを有し、親扉閉扉時、ラッチを作動させてデッド杆及び作動杆を一体的に外方に押出し、デッド杆の係合シューを床面及びまたは天井面に設けられたストライク孔に投入し、一方、子扉を開放方向に押動するとき、係合シューとストライク孔の開口端縁との間に生じる摩擦係合によりデッド杆を一時的にストライク孔に係止し、係合シューの回動によって生じる係合ピンとの間の楔作用により、作動杆をケース体内に押込み、以て係合ピンと係合シューとの係合を解いて係合シューを解放するようにしたことを特徴とする両開扉錠。
【発明の詳細な説明】
【技術分野】
【０００１】
この発明は、所謂観音開き扉と称される両開扉の子扉の自動係止装置（以下単に自動フラッシュボルトという）に係り、特に、床面或いは天井面に形成されたストライク孔とデッドボルトとの間に側圧が作用する場合であっても円滑に開放することができる自動フラッシュボルトに関する。
【背景技術】
【０００２】
本出願人は、先に、下記特許文献１を以て新規な自動フラッシュボルト（両開扉の子扉の自動係止装置：ラッチ装置）を提案した。
【０００３】
この自動フラッシュボルトは、両開扉の子扉を床面及び／または天井に係止するラッチ装置であって、子扉の自由側端縁部の下端部及び／または上端部に装着されるケース体と、水平面に対する投影形状が略扇形で、その要の部分を、子扉の自由側端縁部とほぼ同一面となるケース体のフロント板付近に回動可能に、かつフロント板から出没可能に支承され、親扉の閉扉時親扉の自由側端縁に装着されたストライクと干渉してケース体内に押込まれるメインラッチと、このメインラッチの上方または下方においてメインラッチに連設されたサブラッチと、ケース体内において子扉の自由側端縁に平行な方向に延在してその長さ方向に移動可能に案内され、ケース体内に引き込まれる方向に付勢されたデッド杆と、このデッド杆の内端部及び上記メインラッチの間に配設され、親扉閉扉時におけるメインラッチの動きをデッド杆に伝達し、これを長さ方向に沿ってケース体から外方に押出すように駆動する第１作動力偏向機構と、デッド杆の外端において扉面に平行で水平な支軸の回りを回動自在に軸支され、先端が子扉の閉鎖方向にのみ回動可能に拘束されると共に逆方向に付勢された係合シューと、この係合シューの内端部に一体的に形成された傾斜端縁と、ケース体内において子扉の自由側端縁に平行な方向に延在し、少なくとも外端部がデッド杆に重合する態様でその長さ方向に移動可能に案内され、外端部に係合シューの傾斜端縁に弾接するように付勢された係合ピンを有する作動杆と、この作動杆の内端部及び上記サブラッチの間に配設され、親扉閉扉時におけるサブラッチの動きを作動杆に伝達し、これを長さ方向に沿ってケース体から外方に押出すように駆動する第２作動力偏向機構とを有し、親扉閉扉時、メイン及びサブラッチを同時に作動させてデッド杆及び作動杆を一体的に外方に押出し、デッド杆の係合シューを床面及びまたは天井面に設けられたストライク孔に投入し、一方、子扉を開放方向に押動するとき、係合シューとストライク孔の開口端縁との間に生じる摩擦係合によりデッド杆を一時的にストライク孔に係止し、係合シューの回動によって生じる係合ピンとの間の楔作用により、作動杆をケース体内に押込み、以て係合ピンと係合シューとの係合をといて係合シューを解放するようにしたことを特徴とするものである。
【特許文献１】特願２００６−１４８３８０
【発明の開示】
【発明が解決しようとする課題】
【０００４】
上記した所謂両開扉は、例えば劇場やオフィスビル等の非常口に装着され、火事や地震等によって屋外に脱出するため人が非常口に殺到すると、通常、人が子扉を押すため、自動フラッシュボルトのデッドボルトの先端が上記ストライク孔の開口端縁に強く押圧され、この接触部分に生じる摩擦抵抗により、親扉が開いても子扉が開かず、非常口が狭いままになる、という不都合を解消する目的を有するものである。
【０００５】
そして、上記特許文献１に記載された発明は、親扉の開放の初期の段階において、係合シュー１９の作動により作動杆２２が自由になることを利用し、揺動レバー１５を介してメインラッチ３及びサブラッチ２７をフロント板２から待機位置に迄突出させるものである。
【０００６】
しかしながら、特許文献１の図５から明らかなように、ラッチ３（２７）とローラ１７（特許文献１の図１参照）の接点と、ラッチ３（２７）の支軸４との水平方向の距離（図５で上下方向の距離）が短いので、図５でローラ１７がラッチを左方に押動しても、ラッチに充分な回転モーメントを与えることができず、ラッチが引っ掛かったような状態で待機位置に迄突出し難い、等未だ改良の余地がある。
【０００７】
この場合、ラッチを図５で左方に押動する力は、第１付勢ばね１４（図１参照）の弾力であるが、この弾力を大きくすれば、今度はデッド杆を作動する力が大きくならざるを得ず、閉扉時余分な力を要するので作動が円滑でなくなる。
【０００８】
そこで、この発明は、子扉を開放方向に押動するだけでラッチ装置を解除でき、ラッチの復帰回動が円滑である自動フラッシュボルトを提供することを目的としている。
【課題を解決するための手段】
【０００９】
上記の目的を達成するため、請求項１に記載の発明は、両開扉の子扉を床面及び／または天井に係止するラッチ装置であって、子扉の自由側端縁部の下端部及び／または上端部に装着されるケース体と、水平面に対する投影形状が略扇形で、その要の部分を、子扉の自由側端縁部とほぼ同一面となるケース体のフロント板付近に回動可能に、かつフロント板から出没可能に支承され、親扉の閉扉時親扉の自由側端縁に装着されたストライクと干渉してケース体内に押込まれるラッチと、このラッチの内側においてフロント板に垂直な方向に移動可能に案内され、外方に付勢されると共に、ケース体内に押込まれた上記ラッチの自由端部と係合して、ラッチをフロント板から突出する方向に押動する傾斜面を形成した押出しブロックと、ケース体内において子扉の自由側端縁に平行な方向に延在してその長さ方向に移動可能に案内され、ケース体内に引き込まれる方向に付勢されたデッド杆と、このデッド杆の内端部及び上記ラッチの間に配設され、親扉閉扉時におけるラッチの動きをデッド杆に伝達し、これを長さ方向に沿ってケース体から外方に押出すように駆動する作動力偏向機構と、デッド杆の外端において扉面に平行で水平な支軸の回りを回動自在に軸支され、先端が子扉の閉鎖方向にのみ回動可能に拘束されると共に逆方向に付勢された係合シューと、この係合シューの内端部に一体的に形成された傾斜端縁と、ケース体内において子扉の自由側端縁に平行な方向に延在し、少なくとも外端部がデッド杆に重合する態様でその長さ方向に移動可能に案内され、外端部に係合シューの傾斜端縁に弾接するように付勢された係合ピンを有する作動杆とを有し、親扉閉扉時、ラッチを作動させてデッド杆及び作動杆を一体的に外方に押出し、デッド杆の係合シューを床面及びまたは天井面に設けられたストライク孔に投入し、一方、子扉を開放方向に押動するとき、係合シューとストライク孔の開口端縁との間に生じる摩擦係合によりデッド杆を一時的にストライク孔に係止し、係合シューの回動によって生じる係合ピンとの間の楔作用により、作動杆をケース体内に押込み、以て係合ピンと係合シューとの係合を解いて係合シューを解放するようにしたことを特徴とする。
【発明の効果】
【００１０】
上記のように構成された請求項１に記載の発明による自動フラッシュボルトは、両開扉の閉鎖状態においては、子扉を開放方向に押動する側圧はデッド杆の外端に装着された係合シューと一体の傾斜端縁と係合ピンとの係合、作動杆、作動力偏向機構及びラッチを介して親扉のストライクに担持される。
【００１１】
係合シューに側圧が印加された状態で子扉を開放方向に押動すると、係合シューとストライク孔の開口端縁との間に生じる摩擦係合によりデッド杆が一時的にストライク孔に係止され、更なる子扉の押動により、係合シューと一体の傾斜端縁と係合ピンとの間に生じる楔作用により作動杆がケース体内に押込まれるので、係合シューと作動杆との係合が解かれ、係合シューが自由になって子扉が解放される
【００１２】
そのため、係合シューが回動してストライク孔との摩擦係合が無くなり、デッド杆の付勢力によってデッド杆が床面或いは上枠のストライク孔から引抜かれる。
【００１３】
このとき、押出しブロックの傾斜面とラッチの自由端部との間に生じる楔作用により、ラッチがフロント板から突出する結果、ラッチに押えられていたデッド杆の上記ストライク孔からの引抜きが容易になる、という所期の効果を奏する。
【発明を実施するための最良の形態】
【００１４】
扉の自由側端縁部の端部から床面或いは上枠のストライク孔に投入されるデッド杆の先端に係合シューを回動自在に設け、その係合シューの拘束を子扉の開放操作の初期において解くようにしたので、子扉のデッド杆の先端に印加される側圧による不都合を解消することができ、また、押出しブロックによってラッチをフロント板から外方に突出し易くしたので、ラッチに押え付けられていたデッド杆のストライク孔からの引抜きを円滑にした。
【実施例１】
【００１５】
以下、この発明の一実施例を図面を参照して説明する。
図１及び図２において符号１はケース体を示し、このケース体１は子扉の自由側端縁部の上端及び／又は下端に例えば埋設等の態様で装着される。
【００１６】
なお、図１及び図２に示すケース体１は子扉の下端部に装着されるもので、後述のデッド杆は床面に設けられたストライク孔に投入されて子扉を床面に係止する。
【００１７】
ちなみに、通常、このケース体１と対称的に子扉の上端部には図示しない他のケース体が装着され、一方、これら一対のケース体の間における子扉の自由側端縁にはストライク孔が設けられ、親扉側に装着された図示しない錠箱のデッドボルトがこのストライク孔に投入されて両開扉を施錠する。
【００１８】
上記ケース体１の子扉の自由側端縁とほぼ同一面となるフロント板２付近には、図１及び図３に示すように、ラッチ３が設けられている。
【００１９】
図示の実施例におけるラッチ３は、図３に示すように、床面（水平面）に対する投影形状が扇形のブロック体で、その要の部分を鉛直に貫通する第１支軸４により水平面内で回動可能に軸支されている。
【００２０】
このラッチ３は、図３に示すように、戸当りに当てて閉鎖位置にあるケース体１に対し、親扉閉鎖時、図示しない親扉の自由側端縁に装着されたストライク板５（図４参照）が図３において相対的に子扉に近接したとき、換言すれば図３においてストライク板５が下降したとき、このストライク板に駆動されて図３で反時計方向に回動し、後述する作動力偏向機構を駆動する。
【００２１】
一方、図１及び図２において符号６はデッド杆を示し、図示の実施例におけるデッド杆６は、下方を断面コ字形に折曲して剛性を増大させた細長い板状体で、ケース体１内において子扉の自由側端縁に平行な方向（上下方向）に延在している。
【００２２】
また、このデッド杆６は、第２支軸７（図１参照）及び第３支軸８によって上下方向に移動可能に支持、案内されている。
【００２３】
上記第２支軸７は、図１に示すように、デッド杆６の上端部にかしめつけられた短円柱体で、その一端に形成された小径部がケース体１の側面に形成された縦長の第１案内孔９（図１参照）に摺動可能に係合している。
【００２４】
また、上記第３支軸８は、後述する作動杆に形成された縦長の第２案内孔１１（図１参照）と摺動可能に係合しており、作動杆の案内部を兼ねている。
【００２５】
更にまた、図１に示すように、ケース体１の内側底面に植設された案内杆１２が、デッド杆６の側端縁に一体に形成された水平な案内板１３に開口した図示しない案内孔と摺動可能に嵌合しており、案内板１３とケース体１の底面との間における案内杆１２に巻装された圧縮コイルばねとしての第１付勢ばね１４の弾力により、デッド杆６は上方に、換言すればケース体内に引き込まれる方向に付勢されている。
【００２６】
他方、図１に示すように、このデッド杆６の上端部と前記ラッチ３との間には、作動力偏向機構としての揺動レバー１５が配設されている。
【００２７】
この揺動レバー１５は、板材を断面コ字形に折曲し、ケース体１の側板への投影形状が略扇形になるように成形した部材で、その要の部分を貫通する水平な第４支軸１６によって揺動可能に軸支されている。
【００２８】
また、揺動レバー１５のラッチ３に近接した一端部はガイドブロック１７を介してラッチ３に当接しており、他端部に担持された水平な第１係合ピン１８は、図１に示すように、デッド杆６の上端部に開口した付番しない水平な長穴である係合穴と摺動可能に係合している。
【００２９】
ちなみに、上記ガイドブロック１７は、例えば含油合金、或いはポリアセテート樹脂等の低摩擦材料で構成されており、図示の実施例では、錠箱側面への投影形状が三角形で、図面を明瞭にするため付番しない水平な支軸により、回動可能に軸支されている。
【００３０】
そして、後述するようにラッチ３が錠箱内に押込まれるとき、ガイドブロック１７の外面がラッチ３の内端部に沿って下降しつつ、上記付番しない水平な支軸の回りを回動して、ラッチの動きを効率良くデッド杆に伝達する。
【００３１】
上記した構成は、前記特許文献１に記載された発明の構成とほぼ同一であるが、本願発明の特徴的な構成は次に述べる押出しブロックである。
【００３２】
この押出しブロック１０は、図１及び図３に示すように、ラッチ３より内方で揺動レバー１５の上方に設けられた付番しない支持枠に包持された偏平なブロック体で、フロント板２に垂直な前後方向に移動可能に案内されると共に、付番しない圧縮コイルばねにより前方（外方）に付勢されている。
【００３３】
そして、この押出しブロック１０の外面には傾斜面１０ａが形成されていて、両開扉が開いており、ラッチがストライク板５から突出している常態においては、図３に示すように、ラッチ３と接触していないが、図６に示すようにラッチ３が錠箱内に押込まれたとき、この傾斜面１０ａがラッチ３が時計方向に回動するように付勢し、デッド杆が移動したときにラッチ３をフロント板から突出させ、この自動フラッシュボルトの作動を円滑にしている。
【００３４】
上記した構成により、親扉が閉鎖位置に近接したとき、そのストライク板５によってラッチ３がケース体１内に押込まれ、このラッチ３の回動に連動して揺動レバー１５が図１で時計方向に回動し、その結果、図４に示すように、デッド杆６が第１付勢ばね１４の弾力に抗して下降する。
【００３５】
このとき、後記係合シューが床面或いは天井面（戸枠の上枠）に開口した図示しないストライク孔２１（図４参照）に投入され、子扉に側圧がかかる場合には、図２における係合シュー１９の右側の面がストライク孔２１の開口端縁に押圧される。
【００３６】
前記したように、デッド杆６の下端部は断面コ字形に成形されているが、次に述べる作動杆２２（図１及び図２参照）の下端部も断面コ字形に折曲されている。
【００３７】
そして、図２に示すように、デッド杆６及び作動杆２２の下端部の断面コ字形部を入れ子状に重合させている。
【００３８】
一方、図２に示すように、上記のようにして作動杆２２と重合しているデッド杆６の外端に、扉面に平行で水平な支軸２３により、係合シュー１９が回動可能に支承されている。
【００３９】
この係合シュー１９の内端部には、図２に示すように、傾斜端縁２４が一体的に形成されている。
【００４０】
また、図面を明瞭にするため付番を省略する捩りコイルばねの弾力により、上記係合シュー１９は図２で反時計方向に付勢されているが、係合シュー１９に外力が作用しない常態においては、上記傾斜端縁２４が作動杆２２の下端部に植設された係合ピン２５に弾接してこれに衝止され、図示の角度位置を保つ。
【００４１】
つまり、係合シュー１９は、これと一体の傾斜端縁２４と係合ピン２５との係合、作動杆２２、作動力偏向機構及びラッチを介して親扉のストライクに担持される。
【００４２】
したがって、係合シュー１９は図２に示す角度位置から更に時計方向（係合シューの先端が左方向）に回動することができないように拘束されている。
【００４３】
他方、上記作動杆２２は、図１及び図２に示すように、デッド杆６と重合する態様で上下方向にに延在し、前記第２支軸８及びデッド杆６との係合により長さ方向に移動可能に案内されている。
【００４４】
また、作動杆２２とデッド杆６との間には、図１及び図２に示すように、圧縮コイルばね２６が弾装されており、この圧縮コイルばね２６の弾力により、作動杆の前記係合ピン２５が係合シューの傾斜端縁２４に弾接する方向に付勢されており、常態ではデッド杆６と作動杆７とが一体的に動くように構成されている。
【００４５】
なお、図１及び図２において符号２８は圧縮コイルばねとしての補償ばねを示し、この補償ばね２８は、例えばこの発明による自動フラッシュボルトを子扉の上方に装着したとき、すなわちケース体１を上下逆向きにして装着したとき、デッド杆６及び作動杆２２に作用する重力による影響を除去するもので、この発明の必須の構成ではない。
【００４６】
上記のように構成されたこの発明の一実施例による自動フラッシュボルトは、両開扉が開いているときには、図１及び図２に示すように、デッド杆６及び作動杆２２は、付勢ばね１４の弾力によりケース体１内に引込んでおり、子扉は自由である。
【００４７】
このときには、図３に示すように、ラッチ３はフロント板２から突出している。
【００４８】
この状態で子扉を動かし、例えば戸当りに当てて子扉を閉鎖角度位置に置いた後、親扉を閉鎖位置に迄回動させると、前記ストライク５が図３の上方からラッチ３に近接し、これらを回動させる。
【００４９】
すると、図４に示すように、デッド杆６及び作動杆２２は一体的にケース体外に押出され、デッド杆の外端に装着された係合シュー１９が例えば床面に設けられたストライク孔２１に投入され、子扉を床面に係止する。
【００５０】
その後、親扉の錠前を操作して、親扉側から図示しないデッドボルトを子扉の自由側端縁に形成されたストライク孔に投入し、このようにして両開扉を施錠する。
【００５１】
両開扉を開放するには、先ず上記親扉の錠前を解錠し、親扉と子扉との係合を解いた後、子扉を開放方向（図３で上方、図４で紙面方向向う側）に押動する。
【００５２】
すると、ストライク孔２１内で遊動する係合シュー１９が図４で向う側に移動し、同時に、図６においてケース体１が下方に移動する。
【００５３】
やがて係合シュー１９の衝止面（図２における右側の面）がストライク孔２１の開口端縁に当接し、係合シュー１９は停止させられるが、更に子扉が開放方向に押動されると、係合シュー１９が支軸２３の回りを時計方向に回動するようになる（図２参照）。
【００５４】
すると、係合シューの内端に形成された傾斜端縁２４と係合ピン２５との間に生じる楔作用により、前者が後者を斜上に押上げるように押動する。
【００５５】
この状態では、係合シューの衝止面とストライク孔の開口端縁との間に強い摩擦係合が生じるから、その摩擦力により係合シュー１９は一時的にストライク孔２１の開口端縁に一時的に係止される。
【００５６】
したがって、図示の実施例では作動杆２２はデッド杆６に関して相対的に上昇し、ついには、図７に示すように、傾斜端縁２４が係合ピン２５を押上げ、これらの係合を解くに致る。
【００５７】
すると、図７に示すように係合シュー１９は自由に回動できるようになり、デッド杆６とストライクとの係合が解けて子扉が開く。
【００５８】
子扉が開くと、それまでラッチ３に押え付けられていた揺動レバーが自由になる結果、第１付勢ばね１４の弾力によりデッド杆６がラッチ３を外方に押出しつつ上昇し、図１及び図２に示す待機位置に戻る。
【００５９】
なお、このとき前記押出しブロック１０が作動し、ラッチ３を円滑に外方に押出す。
【図面の簡単な説明】
【００６０】
【図１】この発明の一実施例による自動フラッシュボルトの一部断面側面図。
【図２】その一部断面背面図。
【図３】その一部断面平面図。
【図４】図１と同様の一部断面側面図で、両開扉の閉鎖時を示す。
【図５】その一部断面背面図。
【図６】図３と同様の一部断面平面図で、ラッチが錠箱内に押込まれた両開扉の閉鎖時を示す。
【図７】図５と同様の自動フラッシュボルトの一部断面背面図で、係合シューが傾いた状態を示す。
【符号の説明】
【００６１】
１  ケース体
２  フロント板
３  ラッチ
５  ストライク
６  デッド杆
１０  押出しブロック
１０ａ    傾斜面
１４  第１付勢ばね
１５  揺動レバー
１９  係合シュー
２１  ストライク孔
２２  作動杆
２３  支軸
２４  傾斜端縁
２５  係合ピン
２６  圧縮コイルばね
【図１】
0005171222.tif 000002
【図２】
0005171222.tif 000003
【図３】
0005171222.tif 000004
【図４】
0005171222.tif 000005
【図５】
0005171222.tif 000006
【図６】
0005171222.tif 000007
【図７】
0005171222.tif 000008